(57)【要約】【課題】弱視者でも手探りで電源スイッチを操作することができ、また、暗い室内においても手探りで電源スイッチを操作することができるように、電源スイッチに手を誘導することができる電源スイッチへの案内構造を得る。【解決手段】複写機１０は、筐体１２を含む。筐体１２の両側面には、給紙トレイ１４および排紙トレイ１６が形成され、上面にはカバー部材１８が形成される。筐体１２の側面に電源スイッチ２０が配設される。筐体１２の正面から側面に向かって、凹部２４が形成される。また、操作スイッチ２２が形成された筐体１２の傾斜部１２ａから側面に向かって、凹部２６が形成される。凹部２４，２６は、電源スイッチ２２に向かって徐々に深くなるように形成される。これらの凹部２４，２６を辿ることにより、電源スイッチ２２の操作をすることができる。【選択図】図１
2008059768.tif 000002
【特許請求の範囲】
【請求項１】
機器の筐体と、前記筐体に配設される電源スイッチとを含み、前記電源スイッチの近傍において、触覚によって前記電源スイッチに誘導するための凸部または凹部が前記筐体に形成された、電源スイッチへの案内構造。
【請求項２】
前記凸部または前記凹部は複数箇所に形成される、請求項１に記載の電源スイッチへの案内構造。
【請求項３】
前記電源スイッチは前記筐体の表面から凹んだ位置に形成され、前記凹部が前記電源スイッチに向かって誘導する溝状に形成された、請求項１または請求項２に記載の電源スイッチへの案内構造。
【請求項４】
溝状の前記凹部は前記電源スイッチに向かって徐々に深くなるように傾斜して形成される、請求項３に記載の電源スイッチへの案内構造。
【発明の詳細な説明】
【技術分野】
【０００１】
この発明は、電源スイッチへの案内構造に関し、特にたとえば、複写機などの電源スイッチに手を誘導する電源スイッチへの案内構造に関する。
【背景技術】
【０００２】
複写機本体ユニットと排紙ユニットとを接合して配置する場合に、複写機本体ユニットの側面に形成された電源スイッチに対応する位置において、排紙ユニットの側面に切り欠きを設けた構成がある。このような構成では、排紙ユニットの切り欠きによって形成された開口部の内側に、複写機本体ユニットの電源スイッチが配置される。このような複写機本体ユニットにおいては、電源スイッチが見えにくい位置にあるため、誤って電源スイッチを切ってしまうことが防止できる。また、複写機本体ユニットと排紙ユニットとを接合して配置した場合においても、切り欠きから手を入れることができ、電源スイッチの操作がしやすい（特許文献１参照）。
【０００３】
【特許文献１】特開２０００−２７５９２３号公報
【発明の開示】
【発明が解決しようとする課題】
【０００４】
しかしながら、このような複写機では、電源スイッチが見えにくい位置にあるために、特に弱視者などでは操作が困難である。また、オフィス照明などにおいて、節電のために、最終退室者が事務所から退室したとき、照明の主電源を切って事務所内の全照明を消灯するように制御している場合がある。このような場合、事務所内の複写機などの電源スイッチが入っていることに気がついても、照明の主電源を入れるには時間がかかる。そうかといって、暗闇の中で複写機の電源スイッチを探すのは困難である。また、次の日まで複写機の電源スイッチを入れたままにしておくと、待機電力などにより、無駄な経費がかかる。さらに、誰もいない事務所内において、複写機の故障などによって過熱すると、火事の恐れもある。
【０００５】
それゆえに、この発明の主たる目的は、弱視者でも手探りで電源スイッチを操作することができ、また、暗い室内においても手探りで電源スイッチを操作することができるように、電源スイッチに手を誘導することができる電源スイッチへの案内構造を提供することである。
【課題を解決するための手段】
【０００６】
この発明は、機器の筐体と、筐体に配設される電源スイッチとを含み、電源スイッチの近傍において、触覚によって電源スイッチに誘導するための凸部または凹部が前記筐体に形成された、電源スイッチへの案内構造である。
このような電源スイッチへの案内構造において、凸部または凹部は複数箇所に形成することができる。
また、電源スイッチは筐体の表面から凹んだ位置に形成され、凹部が電源スイッチに向かって誘導する溝状に形成されてもよい。
溝状の凹部が形成された機器において、さらに、溝状の凹部は電源スイッチに向かって徐々に深くなるように傾斜して形成されることが好ましい。
【０００７】
機器の筐体に配設される電源スイッチに向かって、触覚により誘導するための凸部または凹部が形成されることにより、弱視者でも容易に電源スイッチに手を持っていくことができ、容易に電源スイッチの操作をすることができる。また、消灯後の部屋において、再度照明を点灯させることなく、機器の電源スイッチに辿り着くことができる。
触覚により電源スイッチに誘導するための凸部や凹部は、たとえば異なる位置から電源スイッチに向かって、複数個所に形成することができる。それにより、機器の筐体の表面を触って、電源スイッチに辿り着きやすくなる。
また、電源スイッチが筐体の表面から凹んだ位置に形成される場合、電源スイッチに向かって凹部が形成されることにより、この凹部を辿って電源スイッチに到着することができる。
さらに、溝状の凹部を電源スイッチに向かって徐々に深くなるように傾斜して形成することにより、筐体の表面から電源スイッチまで、凹部に沿ってスムーズに手を動かすことができる。
【発明の効果】
【０００８】
この発明によれば、触覚によって機器の電源スイッチに辿り着くことができるため、弱視者であっても電源スイッチを操作することが容易であり、消灯後の部屋の中でも電源スイッチの操作が容易である。そのため、全ての人に扱いやすい機器とすることができ、また、消灯された部屋においても機器の電源スイッチを操作することができる。ここで、電源スイッチを凹部に形成し、電源スイッチに向かって誘導するように溝状の凹部を形成することにより、筐体のわかりやすい位置に凹部の始端を形成しておけば、一度操作することによって次回から迷うことなく操作をすることができる。
【０００９】
この発明の上述の目的，その他の目的，特徴および利点は、図面を参照して行う以下の発明を実施するための最良の形態の説明から一層明らかとなろう。
【発明を実施するための最良の形態】
【００１０】
図１は、この発明の電源スイッチへの案内構造を用いた複写機の例を示す図解図である。複写機１０は、筐体１２を含む。筐体１２内には、画像読み取り部、給紙部、画像形成部、定着部などが内蔵されている。筐体１２の一方側面において、給紙部に用紙を供給するための給紙トレイ１４が挿入される。また、筐体１２の他方側面には、複写された用紙を蓄積するための排紙トレイ１６が形成される。さらに、筐体１２の上面には、画像読み取り部で読み取られる原稿を覆うカバー部材１８が形成される。
【００１１】
さらに、筐体１２の給紙トレイ１４が形成された側面には、電源スイッチ２０が配設される。電源スイッチ２０は、複写機１０の電源をＯＮ−ＯＦＦするためのスイッチである。さらに、カバー部材１８に隣接するようにして、筐体１２の上面には、操作スイッチ２２が形成される。操作スイッチ２２は、複写開始スイッチや複写枚数の設定スイッチなどの操作をするための複数のスイッチを含む。この操作スイッチ２２は、操作しやすいように、たとえば筐体１２の傾斜部１２ａに形成される。
【００１２】
この複写機１０で原稿を複写する場合、カバー部材１８を開いて置かれた原稿が画像読み取り部で読み取られ、画像形成部で読み取られた画像が静電潜像として形成される。この静電潜像にトナーが供給され、トナー画像が形成される。また、給紙トレイ１４の用紙が給紙部によって画像形成部に送られ、この用紙にトナー画像が転写される。トナー画像が転写された用紙は定着部に送られ、ここでトナー画像が定着されて、排紙トレイ１６に排出される。
【００１３】
このような複写機１０において、筐体１２には、たとえば２つの溝状の凹部２４，２６が形成される。凹部２４は、筐体１２の正面から電源スイッチ２０が形成された側面に向かって形成される。凹部２４は、筐体１２の正面から電源スイッチ２０に向かって、徐々に深くなるように、傾斜して形成される。また、凹部２６は、筐体１２の傾斜部１２ａから電源スイッチ２０に向かって、徐々に深くなるように、傾斜して形成される。したがって、電源スイッチ２０は、溝状の凹部２４，２６の最も凹んだ部分に形成される。
【００１４】
この複写器１０では、凹部２４，２６が形成されていることにより、筐体１２の正面あるいは傾斜部１２ａのわかりやすい位置から凹部２４，２６を辿って、電源スイッチ２０に辿り着くことができる。そのため、弱視者などであっても、容易に電源スイッチ２０の操作をすることができる。ここで、凹部２４，２６が電源スイッチ２０に向かって徐々に深くなるように傾斜して形成されているため、筐体１２の表面から電源スイッチ２０まで、凹部２４，２６に沿ってスムーズに手を動かすことができる。さらに、凹部２４，２６の傾斜面に電源スイッチ２０を形成しておけば、凹部２４，２６に手を沿わせるだけで、電源スイッチ２０を操作することができる。そして、操作者からみて筐体１２のわかりやすい位置から電源スイッチ２０に向かって傾斜しているので、凹部２４，２６を辿って電源スイッチ２０を操作することにより、次回から迷うことなく電源スイッチ２０に辿り着くことができる。
【００１５】
また、凹部２４，２６を辿っていくことによって電源スイッチ２０の位置を把握することができるため、事務所の照明を消灯した後においても、複写機１０の電源スイッチ２０を操作することができる。したがって、消灯後に複写機１０の電源スイッチ２０の切り忘れに気づいたとき、改めて照明を点灯させることなく、電源スイッチ２０を切ることができる。たとえば、最終退室者が退室したときに、部屋の全照明の電源が切れるような制御をしている場合でも、再度照明の電源を入れることなく、複写機１０の電源スイッチ２０を切ることができる。
【００１６】
このように、消灯された部屋において、複写機１０の電源スイッチ２０を切ることができるため、夜間における待機電力をなくすことができ、省力化を図ることができる。また、夜間の無人の部屋において、複写機１０の故障などによる火災や漏電などを防止することができる。
【００１７】
なお、凹部２４，２６は、必ずしも溝状に形成する必要はなく、たとえば小さい円形の凹部が連続して形成され、電源スイッチ２０に誘導するようにしてもよい。また、凹部２４，２６の形状は限定されるものではなく、電源スイッチ２０に誘導できるものであればよい。さらに、触覚によって電源スイッチ２０に誘導するために、筐体１２の表面に凸部が形成されてもよい。この凸部についても、その形状は限定されず、触覚によって電源スイッチ２０に誘導できるものであればよい。
【００１８】
さらに、電源スイッチ２０に誘導するための凹部や凸部は、１つだけ形成されてもよいし、３つ以上形成されてもよい。凹部や凸部を筐体１２の複数箇所に形成すれば、触覚によって、さまざまな方向から電源スイッチ２０に手を誘導することができる。
【図面の簡単な説明】
【００１９】
【図１】この発明の電源スイッチへの案内構造を用いた複写機の例を示す図解図である。
【符号の説明】
【００２０】
１０  複写機
１２  筐体
１４  給紙トレイ
１６  排紙トレイ
１８  カバー部材
２０  電源スイッチ
２２  操作スイッチ
２４，２６  凹部
【図１】
2008059768.tif 000003